(57)【要約】【課題】フリンジ情報をオーディオデータに対して容易に付加する。【解決手段】ディスクドライブ１４にオーディオＣＤ３０が装着されると、オーディオＣＤ３０からオーディオデータおよびＴＯＣ情報が読み出され、ＣＰＵ１１でオーディオデータに圧縮符号化処理が施されて圧縮オーディオデータが生成される。圧縮オーディオデータおよびＴＯＣ情報は、メモリデバイス２０に記録される。次に、ディスクドライブ１４にフリンジＣＤ４０が装着されると、メモリデバイス２０からＴＯＣ情報が読み出される。ＣＰＵ１１は、メモリデバイス２０からのＴＯＣ情報と、フリンジＣＤ４０に記録されたＴＯＣ情報とを比較し、ＴＯＣ情報が一致した場合、このＴＯＣ情報に関連付けられたフリンジ情報をフリンジＣＤ４０から読み出し、所定の形式に変換してメモリデバイス２０に録音された圧縮オーディオデータに付加する。【選択図】図４
2008159165.tif 000002
【特許請求の範囲】
【請求項１】
オーディオデータおよび該オーディオデータに固有な情報である第１のＴＯＣ情報が記録された外部の記録媒体が接続される接続部と、
第２のＴＯＣ情報とオーディオデータの関連情報であるフリンジ情報とが関連付けられて記録された第１のディスク状記録媒体から上記第２のＴＯＣ情報を読み出す再生部と、
上記外部の記録媒体に記録されている上記第１のＴＯＣ情報と、上記第１のディスク状記録媒体に記録されている上記第２のＴＯＣ情報とを比較し、上記第１および第２のＴＯＣ情報が一致する場合に、上記再生部によって上記第１のディスク状記録媒体から読み出された上記第２のＴＯＣ情報に関連付けられたフリンジ情報を、上記外部の記録媒体に記録された上記オーディオデータに対して付加する制御部と
を有する
ことを特徴とする記録装置。
【請求項２】
請求項１に記載の記録装置において、
上記再生部は、
オーディオデータおよび第１のＴＯＣ情報が記録された第２のディスク状記録媒体から、上記オーディオデータおよび上記第１のＴＯＣ情報を読み出し、
上記制御部は、
上記第２のディスク状記録媒体から読み出された上記オーディオデータおよび上記第１のＴＯＣ情報を、上記接続部を介して上記外部の記録媒体に記録する
ことを特徴とする記録装置。
【請求項３】
請求項１に記載の記録装置において、
上記フリンジ情報は、
上記オーディオデータのアルバム名、アーティスト名およびタイトルを含む
ことを特徴とする記録装置。
【請求項４】
オーディオデータおよび該オーディオデータに固有な情報である第１のＴＯＣ情報が記録された外部の記録媒体が接続され、
第２のＴＯＣ情報とオーディオデータの関連情報であるフリンジ情報とが関連付けられて記録された第１のディスク状記録媒体から上記第２のＴＯＣ情報を再生部で読み出し、
上記外部の記録媒体に記録されている上記第１のＴＯＣ情報と、上記第１のディスク状記録媒体に記録されている上記第２のＴＯＣ情報とを比較し、上記第１および第２のＴＯＣ情報が一致する場合に、上記再生部によって上記第１のディスク状記録媒体から読み出された上記第２のＴＯＣ情報に関連付けられたフリンジ情報を、上記外部の記録媒体に記録された上記オーディオデータに対して付加する
を有する
ことを特徴とする記録方法。
【請求項５】
オーディオデータが記録されたディスク状記録媒体に固有な情報であるＴＯＣ情報と、
上記オーディオデータの関連情報であるフリンジ情報とが互いに関連付けられて記録されている
ことを特徴とする記録媒体。
【発明の詳細な説明】
【技術分野】
【０００１】
この発明は、オーディオデータに対してフリンジ情報を付加する記録装置および記録方法、ならびに記録媒体に関する。
【背景技術】
【０００２】
近年、ＣＤ（Compact Disc）ドライブを搭載したオーディオ記録装置に、ＨＤＤ（Hard Disc Drive）や不揮発性メモリ等を記録媒体とした携帯型音楽プレーヤなどのメモリデバイスを接続し、ＣＤに記録されているオーディオデータをＭＰ３（MPEG-1 audio layer 3）やＡＡＣ（Advanced Audio Coding）などの所定の形式で圧縮符号化したオーディオデータをメモリデバイスに変換して直接録音することができるオーディオ記録装置が普及してきている。
【０００３】
所定の形式で圧縮符号化された圧縮オーディオデータには、曲のタイトルやアルバム名、アーティスト名などのフリンジ情報と呼ばれる、オーディオデータの関連情報を付加することができるようになっている。このように、オーディオデータに対して関連情報を付加する技術が下記の特許文献１に記載されている。
【０００４】
【特許文献１】特開２００２−２４５７６２号公報
【発明の開示】
【発明が解決しようとする課題】
【０００５】
ところで、外部のネットワークに接続可能なＰＣなどにメモリデバイスを接続し、ＣＤに記録されているオーディオデータを圧縮符号化した圧縮オーディオデータをメモリデバイスに記録した場合には、フリンジ情報を外部のサーバにアクセスすることによって取得し、圧縮オーディオデータに対して付加することができる。
【０００６】
ところが、外部のネットワークやＰＣと接続ができないオーディオ記録装置の場合には、フリンジ情報を自動的に取得し、圧縮オーディオデータに対して付加することができない。そのため、従来は、ユーザがオーディオ記録装置に設けられた操作部などを操作し、フリンジ情報をオーディオデータ毎にいちいち入力する必要があり、操作が煩わしいという問題点があった。
【０００７】
この問題を解決する方法として、オーディオデータに対応するフリンジ情報が予め複数格納された記憶部を、オーディオ記録装置に設ける方法が考えられる。こうすることにより、ＣＤからメモリデバイスにオーディオデータを録音した場合には、記録されたオーディオデータに対応するフリンジ情報を記憶部から読み出し、それぞれのオーディオデータに対してフリンジ情報を付加することができる。
【０００８】
しかしながら、記憶部には、オーディオ記録装置の発売以前に発売されたＣＤに関するフリンジ情報しか格納されていない。そのため、新たに発売されたＣＤに記録されているオーディオデータを録音した場合、このＣＤに対応するフリンジ情報は記憶部に格納されておらず、フリンジ情報を付加することができないという問題点があった。また、オーディオ記録装置に記憶部を設ける必要があるため、コストが増加しまうという問題点があった。
【０００９】
したがって、この発明の目的は、オーディオデータを外部の記録媒体に記録する際に、ネットワークに接続することなくフリンジ情報を取得し、このフリンジ情報をオーディオデータに対して容易に付加することができる記録装置および記録方法、ならびに記録媒体を提供することにある。
【課題を解決するための手段】
【００１０】
上述した課題を解決するために、第１の発明は、オーディオデータおよびオーディオデータに固有な情報である第１のＴＯＣ情報が記録された外部の記録媒体が接続される接続部と、第２のＴＯＣ情報とオーディオデータの関連情報であるフリンジ情報とが関連付けられて記録された第１のディスク状記録媒体から第２のＴＯＣ情報を読み出す再生部と、外部の記録媒体に記録されている第１のＴＯＣ情報と、第１のディスク状記録媒体に記録されている第２のＴＯＣ情報とを比較し、第１および第２のＴＯＣ情報が一致する場合に、再生部によって第１のディスク状記録媒体から読み出された第２のＴＯＣ情報に関連付けられたフリンジ情報を、外部の記録媒体に記録されたオーディオデータに対して付加する制御部とを有することを特徴とする記録装置である。
【００１１】
また、第２の発明は、オーディオデータおよびオーディオデータに固有な情報である第１のＴＯＣ情報が記録された外部の記録媒体が接続され、第２のＴＯＣ情報とオーディオデータの関連情報であるフリンジ情報とが関連付けられて記録された第１のディスク状記録媒体から第２のＴＯＣ情報を再生部で読み出し、外部の記録媒体に記録されている第１のＴＯＣ情報と、第１のディスク状記録媒体に記録されている第２のＴＯＣ情報とを比較し、第１および第２のＴＯＣ情報が一致する場合に、再生部によって第１のディスク状記録媒体から読み出された第２のＴＯＣ情報に関連付けられたフリンジ情報を、外部の記録媒体に記録されたオーディオデータに対して付加するを有することを特徴とする記録方法である。
【００１２】
また、第３の発明は、オーディオデータが記録されたディスク状記録媒体に固有な情報であるＴＯＣ情報と、オーディオデータの関連情報であるフリンジ情報とが互いに関連付けられて記録されていることを特徴とする記録媒体である。
【００１３】
上述したように、第１および第２の発明では、オーディオデータおよびオーディオデータに固有な情報である第１のＴＯＣ情報が記録された外部の記録媒体が接続され、第２のＴＯＣ情報とオーディオデータの関連情報であるフリンジ情報とが関連付けられて記録された第１のディスク状記録媒体から第２のＴＯＣ情報を再生部で読み出し、外部の記録媒体に記録されている第１のＴＯＣ情報と、第１のディスク状記録媒体に記録されている第２のＴＯＣ情報とを比較し、第１および第２のＴＯＣ情報が一致する場合に、再生部によって第１のディスク状記録媒体から読み出された第２のＴＯＣ情報に関連付けられたフリンジ情報を、外部の記録媒体に記録されたオーディオデータに対して付加するようにしているため、外部の記録媒体に記録されたオーディオデータに対して容易にフリンジ情報を付加することができる。
【００１４】
また、第３の発明では、オーディオデータが記録されたディスク状記録媒体に固有な情報であるＴＯＣ情報と、オーディオデータの関連情報であるフリンジ情報とが互いに関連付けられて記録されているため、外部の記録媒体に記録されたオーディオデータのＴＯＣ情報と一致するＴＯＣ情報がある場合に、オーディオデータに対して容易にフリンジ情報を付加することができる。
【発明の効果】
【００１５】
この発明は、外部の記録媒体に記録された第１のＴＯＣ情報と第２のディスク状記録媒体に記録された第２のＴＯＣ情報とが一致した場合に、第２のＴＯＣ情報に関連付けられたフリンジ情報を、外部の記録媒体に記録されたオーディオデータに対して付加するようにしているため、ネットワークに接続することができない記録装置１０であっても、オーディオデータに対してフリンジ情報を容易に付加することができるという効果がある。
【発明を実施するための最良の形態】
【００１６】
以下、この発明の実施の一形態について、図面を参照して説明する。記録装置１０は、図１に示すように、制御部としてのＣＰＵ（Central Processing Unit）１１、ＲＯＭ（Read Only Memory）１２、ＲＡＭ（Random Access Memory）１３、再生部としてのディスクドライブ１４、接続部１５、表示部１６および操作部１７がバス１８を介して接続される構成となっている。なお、ここでは、着脱可能なディスク状記録媒体としてＣＤ（Compact Disc）やＣＤ−ＲＯＭ（Compact Disc -Read Only Memory）を用いた場合を例にとって説明する。
【００１７】
ディスクドライブ１４は、オーディオデータが記録された着脱可能なディスク状記録媒体であるオーディオＣＤ３０が装着された場合には、オーディオＣＤ３０からオーディオデータを読み出し、復調処理等の所定の信号処理を施す。そして、ディスクドライブ１４は、復調されたオーディオデータをＣＰＵ１１に供給する。また、ディスクドライブ１４は、オーディオＣＤ３０の最内周部分に記録されているオーディオデータの曲数や再生時間を示すＴＯＣ情報を読み出し、ＣＰＵ１１に供給する。
【００１８】
さらに、ディスクドライブ１４は、曲のタイトルやアルバム名、アーティスト名などのフリンジ情報と呼ばれるオーディオデータの関連情報が記録されたフリンジＣＤ４０が装着された場合には、フリンジ情報を読み出し、ＣＰＵ１１に供給する。
【００１９】
ＣＰＵ１１は、ＲＯＭ１２に予め格納されたプログラムに従い、ＲＡＭ１３をワークメモリとしてバス１８に接続された各部を制御する。また、ＣＰＵ１１は、ディスクドライブ１４から供給されたオーディオデータに対して所定の圧縮符号化処理を施して圧縮オーディオデータを生成し、生成された圧縮オーディオデータおよびＴＯＣ情報を接続部１５に供給する。オーディオデータの圧縮符号化処理としては、例えば、ＭＰ３（MPEG-1 audio layer 3）やＡＡＣ（Advanced Audio Coding）などを用いることができる。
【００２０】
また、ＣＰＵ１１は、ディスクドライブ１４から供給されたフリンジ情報を、後述するメモリデバイス２０の記憶部２２に記録された圧縮オーディオデータの圧縮符号化形式に応じて変換し、圧縮オーディオデータに付加する。具体的には、例えば、圧縮オーディオデータの圧縮符号化形式としてＭＰ３を用いている場合、フリンジ情報を「ＩＤ３タグ」の形式に変換し、圧縮オーディオデータの前または後ろに付加する。
【００２１】
接続部１５は、所定の接続方式により外部のメモリデバイス２０に設けられた接続部２１と接続され、所定のプロトコルを用いて通信を行うことによりデータの送受信を行う。接続方式としては、例えばＵＳＢ（Universal Serial Bus）を用いることができる。接続部１５は、ＣＰＵ１１から供給された圧縮オーディオデータを、接続部２１を介してメモリデバイス２０に供給する。また、接続部１５は、接続部２１を介してメモリデバイス２０からＴＯＣ情報を受け取り、ＣＰＵ１１に供給する。
【００２２】
表示部１６は、例えばＬＣＤ（Liquid Crystal Display）が用いられ、オーディオＣＤ３０のＴＯＣ情報に基づき、オーディオＣＤ３０の曲番号や再生時間などを表示する。また、表示部１６は、メモリデバイス２０の記憶部２２に記録されている圧縮オーディオデータのフリンジ情報を表示する。操作部１７は、例えば、記録装置１０のパネルに設けられたダイヤルキーやその他キー等の操作子や、リモートコントロールコマンダなどが用いられ、録音の際にメモリデバイス２０に対するフォルダの作成などに操作される。
【００２３】
メモリデバイス２０は、接続部２１および記憶部２２を備える。メモリデバイス２０は、接続部２１を介して記録装置１０と接続されると、記録装置１０のストレージデバイスとして認識され、記録装置１０のＣＰＵ１１によって、記憶部２２に記録されたデータの入出力等が制御されるようになっている。
【００２４】
接続部２１は、上述の接続部１５と所定の接続方式により接続され、所定のプロトコルを用いて通信を行うことによりデータの送受信を行う。記憶部２２は、例えばＨＤＤ（Hard Disc Drive）や不揮発性メモリを記録媒体とし、接続部２１を介して記録装置１０から供給された圧縮オーディオデータやＴＯＣ情報を記録する。なお、記憶部２２に記録される圧縮オーディオデータおよびＴＯＣ情報は、この例に限られず、例えば別の記録装置等で記録されてもよい。また、記憶部２２は、記録装置１０のＣＰＵ１１の制御に基づき、記録されているＴＯＣ情報を接続部２１に供給する。
【００２５】
なお、メモリデバイス２０としては、例えば、記録装置１０に接続した際に、ストレージデバイスとしてＣＰＵ１１による制御が可能であれば、単体で圧縮オーディオデータを再生可能な携帯型音楽プレーヤであってもよい。
【００２６】
次に、フリンジＣＤ４０について説明する。フリンジＣＤ４０には、オーディオデータの関連情報であるフリンジ情報が、複数のオーディオＣＤ３０について記録されている。フリンジ情報としては、図２に示すように、例えばオーディオＣＤ３０のアルバム名、アーティスト名およびタイトルが記述されている。これらのフリンジ情報は、それぞれのオーディオＣＤ３０のＴＯＣ情報に関連付けられている。
【００２７】
項目「ＴＯＣ情報」は、対応するオーディオＣＤ３０のＴＯＣ情報を示す。ＴＯＣ情報は、オーディオＣＤ３０に固有な情報であり、オーディオＣＤ３０に記録されているオーディオデータの曲番号や再生時間などの情報が記述されている。項目「アルバム名」には、オーディオＣＤ３０のアルバム名が記述されている。項目「アーティスト名」には、オーディオＣＤ３０の演奏者などのアーティスト名が記述されている。項目「タイトル」には、オーディオＣＤ３０に記録されたオーディオデータのそれぞれの曲名が記述されている。
【００２８】
なお、フリンジ情報として記述される項目は、この例に限られず、例えば、オーディオデータのジャンルや製作年度、オーディオデータに対するコメントなどの項目をさらに設けてもよい。さらに、フリンジ情報としては上述したような文字情報に限らず、例えば、オーディオＣＤ３０のジャケットの画像やコマーシャル映像などの画像や映像の情報を、ＴＯＣ情報に関連付けて記録してもよい。
【００２９】
ところで、このフリンジＣＤ４０に記録されているフリンジ情報は、ある時点において発売されているオーディオＣＤのＴＯＣ情報に関連付けられた情報である。そのため、ある時点以降に発売されたオーディオＣＤについてのフリンジ情報は記録されていない。したがって、例えば、新譜のオーディオＣＤを録音した場合には、現時点で所有しているフリンジＣＤ４０を用いて、オーディオデータに対してフリンジ情報を付加することができない場合が考えられる。そこで、このような場合には、フリンジＣＤ４０を更新して新たなフリンジＣＤを入手することにより、新譜のオーディオＣＤに対応することができる。
【００３０】
フリンジＣＤ４０を更新する方法としては、例えば、フリンジ情報の提供元から定期的に最新のフリンジＣＤを提供してもらう方法が考えられる。この場合、例えばユーザは、カスタマー登録を行い、新たなフリンジＣＤを配送してもらうことにより入手することができる。
【００３１】
また、フリンジＣＤを更新する他の方法としては、例えば、外部のネットワークを介してフリンジ情報をダウンロードして、ＣＤ−Ｒ（CD-Recordable）やＣＤ−ＲＷ（CD-ReWritable）などの記録可能な記録媒体に記録する方法が考えられる。この場合、例えば、インターネット等の外部のネットワークに接続可能であり、ＣＤ−ＲやＣＤ−ＲＷなどにデータを記録可能なディスクドライブを搭載したＰＣを用意し、サーバからフリンジ情報をダウンロードする。そして、ダウンロードしたフリンジ情報をＣＤ−ＲまたはＣＤ−ＲＷに記録し、フリンジＣＤを作製する。
【００３２】
このようにして、複数のフリンジＣＤを用意することにより、新たに発売されたオーディオＣＤなど、より多くのオーディオＣＤに対応することができる。
【００３３】
次に、オーディオＣＤ３０からメモリデバイス２０に対して圧縮オーディオデータを記録し、記録された圧縮オーディオデータに対してフリンジ情報を付加する方法について説明する。先ず、記録装置１０とメモリデバイス２０とが接続され、メモリデバイス２０が記録装置１０のストレージデバイスとして認識される。
【００３４】
オーディオＣＤ３０のオーディオデータをメモリデバイス２０に記録する場合、ユーザは、操作部１７を操作して、アーティスト毎に分類されたフォルダを記憶部２２に作成する。さらに、ユーザは、アーティスト毎のフォルダに、アルバム毎に分類されたフォルダを作成する。このように、オーディオデータを記録するフォルダ構成を、アーティスト毎およびアルバム毎の階層構造とすると、複数のオーディオＣＤから録音した際に、圧縮オーディオデータの分類が明確となり好ましい。
【００３５】
なお、オーディオデータを記録するためのフォルダは、この例に限られず、例えば、所定のフォルダ名で自動的に作成されるようにしてもよい。
【００３６】
ディスクドライブ１４にオーディオＣＤ３０が装着されると、ディスクドライブ１４は、ＣＰＵ１１の制御に基づきオーディオＣＤ３０からオーディオデータを読み出し、復調処理などの所定の信号処理を施す。そして、復調されたオーディオデータをＣＰＵ１１に供給する。また、ディスクドライブ１４は、オーディオＣＤ３０からＴＯＣ情報を読み出し、ＣＰＵ１１に供給する。
【００３７】
ＣＰＵ１１は、ディスクドライブ１４から供給されたオーディオデータに対して圧縮符号化処理を施して圧縮オーディオデータを生成する。そして、生成した圧縮オーディオデータと、ディスクドライブ１４から供給されたＴＯＣ情報とがメモリデバイス２０に供給される。
【００３８】
メモリデバイス２０は、記録装置１０から供給された圧縮オーディオデータおよびＴＯＣ情報を、ユーザによって作成された所定のフォルダに記録する。この場合の記憶部２２におけるファイル構成の一例を図３Ａに示す。この場合におけるオーディオデータの対するアルバム名やそれぞれの圧縮オーディオデータのタイトルにはフリンジデータが付加されていないため、例えば、「Ｔｉｔｌｅ  ＃１」、「Ｔｉｔｌｅ  ＃２」、・・・といった仮の名称が付加される。
【００３９】
次に、ディスクドライブ１４にフリンジＣＤ４０が装着されると、ドライブ１４は、装着されたディスク状記録媒体のＴＯＣ情報に基づき、フリンジＣＤ４０であることを認識する。そして、メモリデバイス２０の記憶部２２からＴＯＣ情報が読み出され、ＣＰＵ１１に供給される。ＣＰＵ１１は、メモリデバイス２０から供給されたＴＯＣ情報と、フリンジＣＤ４０に記録されているオーディオＣＤ３０のＴＯＣ情報とを比較し、一致するＴＯＣ情報に関連付けられたフリンジ情報を、フリンジＣＤ４０から読み出すようにディスクドライブ１４を制御する。ディスクドライブ１４は、ＣＰＵ１１による制御に基づき、フリンジＣＤ４０からフリンジ情報を読み出し、ＣＰＵ１１に供給する。
【００４０】
ＣＰＵ１１は、ディスクドライブ１４から供給されたフリンジ情報を、記憶部２２に記録された圧縮オーディオデータの形式に応じて所定の形式に変換し、メモリデバイス２０の記憶部２２に記録された圧縮オーディオデータに付加する。こうすることにより、記憶部２２におけるファイル構成は、図３Ｂに示すようになり、それぞれのフォルダやファイル名に、フリンジ情報に基づくアルバム名やそれぞれの圧縮オーディオデータのタイトルが付加される。
【００４１】
次に、この発明の実施の一形態による記録装置１０において、メモリデバイス２０に記録されたオーディオデータに対してフリンジ情報を付加する際の処理の流れについて、図４に示すフローチャートを参照してより詳細に説明する。なお、以下では、特に断らない限り、処理がＣＰＵ１１で行われるものとする。また、以下では、「オーディオＣＤ３０に記録されているオーディオデータに復調処理や圧縮符号化処理などの所定の信号処理を施し、メモリデバイス２０の記憶部２２に記録する」ことを、「オーディオＣＤ３０からメモリデバイス２０へ録音する」のように記述する。
【００４２】
ディスクドライブ１４にオーディオＣＤ３０が装着され、ユーザが操作部１７の「録音」に対応するキーを操作すると、ステップＳ１１でオーディオＣＤからメモリデバイス２０への録音が開始され、オーディオデータおよびオーディオＣＤ３０のＴＯＣ情報が記憶部２２に記録される。
【００４３】
オーディオＣＤ３０からメモリデバイス２０への録音が完了すると、ステップＳ１２において、ユーザによってディスクドライブ１４にフリンジＣＤ４０が装着される。ステップＳ１３では、メモリデバイス２０の記憶部２２に記録されたＴＯＣ情報がＣＰＵ１１に供給される。
【００４４】
ステップＳ１４において、ＣＰＵ１１は、メモリデバイス２０から受け取ったＴＯＣ情報とフリンジＣＤ４０に記録されているＴＯＣ情報とを比較し、フリンジＣＤ４０に記録されている複数のＴＯＣ情報のうち、メモリデバイス２０から読み出したＴＯＣ情報と一致するＴＯＣ情報があるかどうかを判断する。比較の結果、メモリデバイス２０から読み出したＴＯＣ情報がフリンジＣＤ４０に記録されている場合には、処理がステップＳ１５に移行する。
【００４５】
ステップＳ１５では、メモリデバイス２０から読み出したＴＯＣ情報に関連付けられたフリンジ情報がフリンジＣＤ４０から読み出され、ＣＰＵ１１に供給される。ステップＳ１６では、ＣＰＵ１１は、フリンジＣＤ４０から読み出されたフリンジ情報を、メモリデバイス２０に記録された圧縮オーディオデータの圧縮符号化形式に応じて変換し、記憶部２２に記録された圧縮オーディオデータに対して付加し、一連の処理が終了する。
【００４６】
一方、ステップＳ１４において、メモリデバイス２０から読み出したＴＯＣ情報と一致するＴＯＣ情報がフリンジＣＤ４０に記録されていない場合には、処理がステップＳ１７に移行する。ステップＳ１７では、ディスクドライブ１４に装着されているフリンジＣＤ４０とは別のフリンジＣＤを装着するかどうかが判断される。このとき、例えば、フリンジＣＤ４０を交換することをユーザに通知するように、記録装置１０の表示部１６に表示するようにすると好ましい。
【００４７】
別のフリンジＣＤを装着する場合、ユーザは、ディスクドライブ１４に装着されているフリンジＣＤを取り出し、別のフリンジＣＤを装着して処理がステップＳ１２に戻る。また、別のフリンジＣＤを装着しない場合には、メモリデバイス２０に記録された圧縮オーディオデータに対してフリンジ情報を付加せず、一連の処理が終了する。
【００４８】
このように、この発明の実施の一形態では、メモリデバイス２０の記憶部２２にオーディオデータを録音する際に、ＴＯＣ情報も記録しておき、記憶部２２に記録されたＴＯＣ情報に基づき、別の記録媒体で提供されるフリンジ情報をオーディオデータに対して付加するようにしているため、ネットワークに接続することができない記録装置１０であっても、オーディオデータに対してフリンジ情報を容易に付加することができる。
【００４９】
また、複数のオーディオデータに関連付けられたフリンジ情報をフリンジＣＤとして提供するようにしているため、フリンジ情報を記録するためのＨＤＤなどの記録媒体を記録装置１０に設ける必要がない。したがって、記録装置１０のコストを抑えることができる。
【００５０】
以上、この発明の実施の一形態について説明したが、この発明は、上述したこの発明の実施の一形態に限定されるものではなく、この発明の要旨を逸脱しない範囲内で様々な変形や応用が可能である。上述では、オーディオデータの圧縮符号化処理は、ＣＰＵ１１でソフトウェアによって行うように説明したが、これに限られず、例えば、記録装置１０に圧縮符号化形式に応じた圧縮符号化部を設け、ハードウェアによる処理を行うようにしてもよい。
【００５１】
また、ディスク状記録媒体としては、上述の例に限られず、例えば、ＣＤ−ＲやＣＤ−ＲＷ、ＤＶＤ−ＲＯＭ（Digital Versatile Disc -Read Only Memory）、ＤＶＤ−Ｒ（DVD -Recordable）、ＤＶＤ−ＲＷ（DVD -Rerecordable）、ＤＶＤ＋Ｒ（DVD +R format）、ＤＶＤ＋ＲＷ（DVD +RW format）、ＤＶＤ−ＲＡＭ（DVD -Rewritable）、ＢＤ（Blu-ray Disc）などを記録媒体として用いてもよい。
【００５２】
さらに、オーディオデータにフリンジ情報を付加する際に、オーディオデータに対応するフリンジ情報がフリンジＣＤに記録されていない場合には、例えば、ユーザが操作部１７を操作して、フリンジ情報を入力するようにしてもよい。
【図面の簡単な説明】
【００５３】
【図１】この発明の実施の一形態による記録装置およびメモリデバイスの一例の構成を示すブロック図である。
【図２】フリンジＣＤについて説明するための略線図である。
【図３】メモリデバイスの記憶部のフォルダ構成について説明するための略線図である。
【図４】メモリデバイスに記録されたオーディオデータに対してフリンジ情報を付加する際の処理の流れを説明するためのフローチャートである。
【符号の説明】
【００５４】
１０  記録装置
１１  ＣＰＵ
１２  ＲＯＭ
１３  ＲＡＭ
１４  ディスクドライブ
１５  接続部
１６  表示部
１７  操作部
１８  バス
２０  メモリデバイス
２１  接続部
２２  記憶部
３０  音楽ＣＤ
４０  フリンジＣＤ
【図１】
2008159165.tif 000003
【図２】
2008159165.tif 000004
【図３】
2008159165.tif 000005
【図４】
2008159165.tif 000006